(57)【要約】【課題】光ディスク演奏装置の、ピックアップのディスク内周位置での、ラックギアとピニオンギアの噛み合いの外れ防止する。【解決する手段】ピックアップ４がディスク内周部との対応位置にあるときは、ピックアップ走行駆動装置７のラックギア５がピニオンギア７３から逃げる逃がし手段３に規制を加えて逃がし手段３を機能させない規制手段６を設けている。ピックアップ４がディス内周部との対応位置にあるとき、規制手段６によってラックギア５とピニオンギア７３の噛み合い解除は防止され、ピックアップ４が慣性によってストッパに衝突し、その反動でラックギアとピニオンギアの噛み合いが外れ、ラックギアの特定の歯をピニオンギアの１つの歯が越える毎に、騒音を発する問題は生じない。ピックアップ４がディスクの内周部に達したときに、ラックギア５が駆動装置７の制御スイッチ７４を動作させる場合、ラックギア５が逃げることがないので、ラックギア５によって確実に制御スイッチ７４を押しきることができる。【選択図】  図２
2004334918.tif 000002
【特許請求の範囲】
【請求項１】
ディスクを演奏するピックアップ（４）と、ラックギア（５）とピニオンギア（７３）を含みピックアップ（４）を走行駆動する駆動装置（７）と、ラックギア（５）に不用意な力が作用した際に、ラックギア（５）をピニオンギア（７３）から離れる方向に逃がす逃がし手段（３）とを有すディスク演奏装置において、ピックアップ（４）がディスクの内周部との対応位置にあるときは、ラックギア（５）の逃がし手段（３）に規制を加えて逃がし手段（３）を機能させない規制手段（６）を設けたことを特徴とするディスク演奏装置。
【請求項２】
逃がし手段（３）は、ピックアップ（４）のボディ（４０）上に、演奏時のピックアップ（４）の移動方向と略直交する面内で該ボディ（４０）に対して回転可能にラックギア（５）を設け、ラックギア（５）又はボディ（４０）上に、ラックギア（５）をピニオンギア側に付勢するバネ部材（８）を配備して構成されている請求項１に記載のディスク演奏装置。
【請求項３】
規制手段（６）は、シャーシ（１）上に突設したストッパ（６１）であって、該ストッパ（６１）は、ピックアップ（４）がディスク内周部との対応位置にある状態にて、ラックギア（５）がピニオンギア（７３）から離間することを阻止する位置にある請求項１又は２に記載のディスク演奏装置。
【請求項４】
ストッパ（６１）は、ラックギア（５）のディスク半径方向の走行路上に設けられ、ピックアップ（４）のディスク内周側への後退端を規制する役割を兼用している請求項３に記載のディスク演奏装置。
【請求項５】
バネ部材（８）は、ボディ（４０）及びラックギア（５）とは別体であって、ラックギア（５）をボディ（４０）の走行方向に付勢する第２付勢部（８２）を有している請求項１乃至４の何れかに記載のディスク演奏装置。
【請求項６】
駆動装置（７）のモータ（７１）を制御する制御スイッチ（７４）が、ピックアップ（４）のディスクの内周部との対応位置において、ラックギア（５）が該制御スイッチ（７４）の突片（７５）を押して動作させる位置に設けられている請求項１乃至５の何れかに記載のディスク演奏装置。
【発明の詳細な説明】
【０００１】
【発明の属する分野】
本発明は、ディスク演奏用のピックアップの走行駆動系に改良を加えたディスク演奏装置に関するものである。
【０００２】
【従来の技術】
光ディスク再生用のピックアップは、ピックアップ上に設けたラックギアがピニオンギアと噛み合うことで駆動され、ターンテーブル上のディスクの半径線上をディスクの内周部から外周側へ移動して演奏を行う。
光ディスクの内周部は、ディスクの全てのトラックのアドレスが書き込まれたトック（ＴＯＣ：  Ｔａｂｌｅ  ｏｆ  ｃｏｎｔｅｎｔｓ）の領域である。
ターンテーブル上のディスクのトックとの対応位置には、シャーシ上に制御スイッチ（７４）及びストッパ（７６）が設けられ、ピックアップ（４）がトックを越えてディスクの中心側へ移動することを阻止している。
【０００３】
光ディスク再生性能の向上のためには、ラックギアのバックラッシュを防止する必要がある。図９は、バックラッシュ防止手段の一例を示しており、ピックアップ（４）上に、バネ片（５０）を一体に具えたラックギア（５）を、該バネ片（５０）をピックアップ（４）に固定して取り付け、該ラックギア（５）をバネ片（５０）によってピニオンギア（７３）に付勢することによりバックラッシュを無くしている（特許文献１）。
【０００４】
上記バックラッシュ防止手段は、ラックギア（５）に不用意な力が作用した際に、ラックギア（５）をピニオンギア（７３）から離れる方向に逃がす逃がし手段でもある。
ディスク演奏装置の落下等による衝撃等で、ラックギア（５）に不用意な力が加わった場合、ラックギア（５）がバネ片（５０）のバネ力に抗してピニオンギア（７３）から離れる方向に逃げて、ラックギア（５）及びピオンギア（７３）の歯折れを防止できる。
【０００５】
【本発明が解決しようとする課題】
ピックアップ（４）がディスクの内周部へ移動した際、制御スイッチ（７４）を動作させるのとほぼ同時に、慣性によってストッパ（７６）に衝突し、その反動でラックギア（５）とピニオンギア（７３）の噛み合いが外れる虞れがある。
制御スイッチ（７４）が働いても、ピニオンギア（７３）がスレッドモータを含めて慣性で回転しており、ストッパ（７６）に当たって停止しているラックギア（５）の特定の歯を、ピニオンギア（７３）の歯が１つづつ越える毎に、騒音を発する問題が生じる。
又、制御スイッチ（７４）を完全に押しきらない内に、バックラッシュ防止手段によってラックギア（５）が逃げてしまい、制御スイッチ（７４）の動作不良を生じる虞れがあった。
【０００６】
【特許文献１】
特開平９−６３２１３号
【０００７】
【課題を解決する手段】
本発明は、ディスクを演奏するピックアップ（４）と、ラックギア（５）とピニオンギア（７３）を含みピックアップ（４）を走行駆動する駆動装置（７）と、ラックギア（５）に不用意な力が作用した際に、ラックギア（５）をピニオンギア（７３）から離れる方向に逃がす逃がし手段（３）とを有すディスク演奏装置において、ピックアップ（４）がディスク内周部との対応位置にあるときは、ラックギア（５）の逃がし手段（３）に規制を加えて逃がし手段（３）を機能させない規制手段（６）を設けたことを特徴とする。
【０００８】
【作用及び効果】
ピックアップ（４）が再生位置にあるときに、演奏装置が落下する等により、ラックギア（５）に不用意な力が加わった場合、逃がし手段（３）によってラックギア（５）はピニオンギア（７３）から離れる方向に逃げることができる。このため、ラックギア（５）とピニオンギア（７３）の噛み合い部へ強い衝撃が加わることが回避され、両ギアの歯折れを防止できる。
【０００９】
ピックアップ（４）が、ターンテーブル上のディスクの内周部との対応位置にあるときは、規制手段（６）によって、ラックギア（５）とピニオンギア（７３）の噛み合いが外れることはない。従って、従来の様に、ピックアップ（４）が慣性によってストッパに衝突し、その反動でラックギアとピニオンギアの噛み合いが外れ、ラックギアの特定の歯をピニオンギアの歯が１つづ越える毎に、騒音を発する問題は生じない。
又、ピックアップ（４）がディスクの内周部に達したときに、ラックギア（５）が駆動装置（７）の制御スイッチ（７４）を動作させる場合、ラックギア（５）が逃げることがないので、ラックギア（５）によって確実に制御スイッチ（７４）を押しきることができる。
【００１０】
【発明の実施の形態】
図１は、光ディスク再生装置の要部を示し、シャーシ（１）上に、ピックアップ（４）、該ピックアップの走行駆動機構（７）及びターンテーブル（９）を配備していする。
ピックアップ（４）は、ボディ（４０）に光ディスク再生用の対物レンズ（４４）を搭載して構成され、シャーシ（１）上の案内部材（２）に沿って直線的に走行可能に配備されている。
ピックアップ（４）の走行路の一端側にターンテーブル（９）が位置し、該ターンテーブル（９）は、図６、図７に示す如く、シャーシ（１）裏面に設けたターンテーブル駆動モータ（９１）に連繋されている。
案内部材（２）は丸軸状の第１レール（２１）と第２レール（２２）からなる。
【００１１】
以下の説明で、ピックアップ（４）の位置を説明する際の、ディスク内周部とは、ターンテーブル（９）に載置された状態のディスクの内周部のことであり、ピックアップ（４）の後退方向とは、ターンテーブル（９）に載置されたディスクの半径方向おいて、外周側から内周側へ移動する方向のことである。
【００１２】
図２に示す如く、ピックアップ（４）のボディ（４０）は、走行方向（矢印Ｘ方向）と直交する方向の両端に上記レール（２１）（２２）への取付け部（４１）（４５）を有している。
一方の取付け部（４１）は両端に取付け片（４２）（４３）を有し、前記第１レール（２１）が両取付け片（４２）（４３）を貫通している。
他方の取付け部（４５）は第２レール（２２）にスライド可能に係合している。
【００１３】
ボディ（４０）の第１レール（２１）側の取付け部（４１）側にラックギア（５）が配備される。
図２、図４に示す如く、ラックギア（５）は、後記するバネ部材（８）を取付けるバネ取付け部（５１）の長手方向の側縁にラック面（５２）を形成し、ラック面（５２）の両端部近傍に支持片（５３）（５４）を突設している。
前記第１レール（２１）が上記ラックギア（５）の両支持片（５３）（５４）を貫通しており、前記ピックアップ（４）の取付け部（４１）は、ラックギア（５）の両支持片（５３）（５４）間にボディ（４０）のスライド方向に余裕のある状態に嵌まっている。
ラックギア（５）は、レール（２１）を中心に回動可能である。
【００１４】
図１、図６に示す如く、駆動機構（７）は、モータ（７１）に減速ギア列（７２）を連繋し、該減速ギア列（７２）の最終段のピニオンギア（７３）を上記ラックギア（５）のラック面（５２）に噛合させて構成される。
【００１５】
ラックギア（５）のバネ取付け部（５１）にバネ部材（８）が取り付けられる。
図４、図５に示す如く、バネ部材（８）は１本の金属バネ材を略Ｖ字状に屈曲して形成される。該バネ部材（８）は、ラックギア（５）のディスク内周側の支持片（５３）側に設けた係止部（５５）に一端を当て、圧縮状態で他端を相手部材であるボディ（４０）に当てている。
ラックギア（５）は、バネ部材（８）がボディ（４０）を付勢する反力で、ピニオンギア（７３）に付勢される。即ち、略Ｖ字状のバネ部材（８）全体が、ラックギア（５）をピニオンギア（７３）に付勢する第１付勢部（８１）となっている。
【００１６】
ラックギア（５）をレール（２１）に回転可能に配備して、ラックギア（５）をピニオンギア（７３）から離間可能としたこと、及びバネ部材（８）によってラックギア（５）をピニオンギア（７３）側に付勢したことにより、ラックギア（５）の逃がし手段（３）が構成される。ラックギア（５）に不用意な力が作用した場合、ラックギア（５）がピニオンギア（７３）から離れる方向に逃げて、両ギアの噛み合いを解除できる。
【００１７】
前記バネ部材（８）の係止部（５５）側の端部には、ボディ（４０）をディスクの外周側走行方向に付勢する第２付勢部（８２）が形成されている。
図２に示す如く、該第２付勢部（８２）とディスク外周側の支持片（５４）内面の間隔Ｌ２は、ピックアップ（４）の取付け部（４１）の取付け片（４２）（４３）の外面間の間隔Ｌ１よりも少し狭い。
第２付勢部（８２）を外側に押し拡げて、ボディ（４０）の取付け部（４１）を第２付勢部（８２）とディスクス外周側の支持片（５４）との間に嵌めることにより、該ボディ（４０）の取付け片（４３）は支持片（５４）側に付勢され、該支持片（５４）に常時接する。
第２付勢部（８２）の付勢力は、ラックギア（５）がレール（２１）を中心に回転するのに支障のない程度の強さである。
【００１８】
実施例のバネ部材（８）について詳述すると、図５に示す如く、バネ部材（８）はバネ鋼線にて形成され、Ｖ字状屈曲部は、バネ鋼線を複数回同心に巻き重ねて環状の取付け部（８３）を形成し、第２付勢部（８２）側端部も複数回同心に巻き重ねて筒状部（８４）を形成し、筒状部（８４）の周端をＬ字状に取付け部（８３）側に延長して第２付勢部（８２）となしている。
バネ部材（８）の他端は、外側へ略Ｊ字状に折り返す様に屈曲して、ボディ（４０）への当り部（８１ａ）を形成している。
【００１９】
図４に示す如く、バネ部材（８）は、環状取付け部（８３）をラックギア（５）のバネ取付け部（５１）上の円形ボス（５５）に嵌め、筒状部（８４）をラックギア（５）上の係止部（５５）に嵌め込んで係止している。
ラックギア（５）にはバネ部材（８）の直線部に被さる抜止め片（５６）が複数箇所に設けられている。
図６に示す如く、バネ部材（８）の当り部（８１ａ）は、ボディ（４０）に形成した受け部（４６）に当たる。
【００２０】
図６、図７に示す如く、ピックアップ（４）のディスク内周部との対応位置にて、シャーシ（１）上に制御スイッチ（７４）及びストッパ（６１）が設けられる。
制御スイッチ（７４）は、駆動装置（７）のモータ（７１）への通電を遮断してピックアップ（４）の走行を停止させるものである。制御スイッチ（７４）は、ラックギア（５）に突設した押さえ片（５４）によって該スイッチ（７４）の突片（７５）が押し込まれることにより動作する。
【００２１】
ストッパ（６１）は、ピックアップ（４）が慣性によってディスク内周部との対応位置よりもディスク中心側に移動しない様に設けられる。
実施例のストッパ（６１）は、ピックアップ（４）がディスク内周部との対応位置に達した時点で、前記ラックギア（５）の逃がし手段（３）を機能させない規制手段（６）を兼ねている。
【００２２】
前記ラックギア（５）のディスク内周側の端部は、ラック面（５２）とは反対側に上記ストッパ（６１）が進入可能な切欠（５５）が開設されており、該切欠（５５）のピックアップ（４）の後退方向に向く面がストッパ（６１）に当たって、ラックギア（５）の後退位置が規制される。
図８に示す如く、ストッパ（６１）が切欠（５５）に進入した状態で、切欠（５５）のラック面（５２）とは反対側の面とストッパ（６１）との間は、ラックギア（５）に接しない程度の僅かな隙間Ｓが存するだけである。即ち、ピックアップ（４）がディスク内周部に達した時点では、ラックギア（５）に不用意な力が加わっても、ストッパ（６１）によってラックギア（５）がピニオンギア（７３）から離間する方向の回転は阻止され、ラックギア（５）とピニオンギア（７３）の噛み合いが外れることはない。
【００２３】
然して、ピックアップ（４）が再生位置にあるときに、演奏装置が落下する等により、ラックギア（５）に衝撃が作用すれば、逃がし手段（３）によってラックギア（５）はピニオンギア（７３）から離れる方向に逃げることができる。このため、ラックギア（５）とピニオンギア（７３）の歯折れを防止できる。
【００２４】
ピックアップ（４）がディスク内周部との対応位置にあるとき、規制手段（６）によってラックギア（５）とピニオンギア（７３）の噛み合いが外れることは阻止され、従来の様に、ピックアップ（４）が慣性によってストッパに衝突し、その反動でラックギアとピニオンギアの噛み合いが外れ、ラックギアの１つの歯をピニオンギアの１つ歯が越える毎に、騒音を発する問題は生じない。
又、ピックアップ（４）がディスクの内周部に達して、ラックギア（５）が駆動装置（７）の制御スイッチ（７４）を動作させるとき、ラックギア（５）が逃げることがないので、ラックギア（５）によって確実に制御スイッチ（７４）を押すことができる。
ピックアップがディスク内周部との対応位置にあるとき、演奏装置が落下する等により衝撃が作用すれば、上述の逃がし手手段（３）は作用しないが、ラックギア（５）のピニオンギアとの係合部と、この規制手段（６）との係合部間の成形品の撓みが発生し、ラックギアとピニオンギアの歯折れは発生しない。
【００２５】
ピックアップ（４）が走行する際、バネ部材（８）は、ラックギア（５）をピニオンギア（７３）側に付勢してラックギア（５）のバックラッシュを無くすことができる。
又、バネ部材（８）の第２付勢部（８２）がラックギア（５）をボディ（４０）のディスク外周側の支持片（５４）に押しつけて、ホディ（４）の走行方向に対するホディ（４）とラックギア（５）のガタツキを防止できる。
ラックギア（５）のバックラッシュ防止と、ラックギア（５）とボディ（４０）の走行方向のガタ付き防止を、１つのバネ部材（８）によって実現できる。
又、バネ部材（８）は、ラックギア（５）及びボティ（４）とは別体であるから、バネ鋼等、バネ特性及び耐久性に優れた材料で形成出来、熱劣化、経年劣化等が生じ難く信頼性を高めることができる。
【００２６】
実施例では、バネ部材（８）をラックギア（５）上に取り付けたが、バネ部材（８）をボディ（４０）上に取り付けて、ラックギア（５）をピニオンギア（７３）へ付勢すること及び、ラックギア（５）を走行方向へ付勢して常時ボディ（４０）の一部に押し当てることができるのは勿論である。
【００２７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２８】
尚、近時、ディスクの内周部のトックの領域よりも更に内周側にビーシーエ（ＢＣＡ：  Ｂｕｒｓｔ  Ｃｕｔｔｉｎｇ  Ａｒｅａ）を設けた光ディスクが出現しており、この領域で、ラックギア（５）とピニオンギア（７３）の噛み合いが外れることがあれば、ビーシーエの領域の読み取りが不能となるので、本発明の規制手段（６）は、ビーエーシを確実に読み取りできる点からも極めて有用である。
【図面の簡単な説明】
【図１】ピックアップ走行駆動系の斜面図である。
【図２】ピックアップとラックギアの組立前の斜面図である。
【図３】ピックアップとラックギアの組立後の斜面図である。
【図４】ラックギアにバネ部材を組込んだ状態の斜面図である。
【図５】バネ部材の斜面図である。
【図６】ピックアップ走行駆動系の底面図である。
【図７】ピックアップ走行駆動系の底側からの斜面図である。
【図８】ラックギアが後退端に達した状態の底面図である。
【図９】ラックギア逃がし手段を具えた従来例のピックアップ駆動系の平面図である。
【符号の説明】
（１）    シャーシ
（２）    案内部材
（３）    逃がし手段
（４）    ピックアップ
（４０）  ボディ
（５）    ラックギア
（６）    規制手段
（７）    駆動機構
（７３）    ピニオンギア
（８）    バネ部材
（８１）  第１付勢部
（８２）  第２付勢部
【図１】
2004334918.tif 000003
【図２】
2004334918.tif 000004
【図３】
2004334918.tif 000005
【図４】
2004334918.tif 000006
【図５】
2004334918.tif 000007
【図６】
2004334918.tif 000008
【図７】
2004334918.tif 000009
【図８】
2004334918.tif 000010
【図９】
2004334918.tif 000011